(57)【要約】【課題】  高輝度なカラー表示が容易に行えると共に、装置の小型化を図ることができるプロジェクタの提供。【解決手段】  照明部からの前記照明光を偏光ビームスプリッタによりＰ偏光とＳ偏光とに分離し、分離したＰ偏光をＬＣＯＳ３により変調し、他方のＳ偏光をＬＣＯＳ４により変調する。ＬＣＯＳ３，４から出射される各変調光は偏光ビームスプリッタで合成され、投射レンズを介して投影される。そして、ＬＣＯＳ３，４には、画素６１ａ，６１ｂがＲ，Ｇ，Ｂフィルタを備えた３つのサブピクセルに分割されているカラー表示のＬＣＯＳである。カラーフィルタ６Ａに設けられたＲ，Ｇ，Ｂフィルタの配列と、カラーフィルタ６Ｂに設けられたＲ，Ｇ，Ｂフィルタの配列とはｙ軸に関してミラー反転の関係にあり、同色フィルタの画像は同一位置に投影される。【選択図】        図３
2007025598.tif 000002
【特許請求の範囲】
【請求項１】
無偏光の白色照明光を出射する照明手段と、
前記照明光をＰ偏光とＳ偏光とに分離する偏光ビームスプリッタと、
前記Ｐ偏光を映像情報に基づいて変調し、変調光を出射する第１の反射型ライトバルブと、
前記Ｓ偏光を映像情報に基づいて変調し、変調光を出射する第２の反射型ライトバルブと、
前記第１および第２の反射型ライトバルブからの各変調光を前記偏光ビームスプリッタで合成して投射するプロジェクタにおいて、
前記第１および第２の反射型ライトバルブは、画素が色フィルタを備えた複数のサブピクセルに分割されているカラー表示の反射型ライトバルブであって、前記第１および第２の反射型ライトバルブの各々に設けられた色フィルタの配列が、互いに前記Ｓ偏光の偏光方向を反転軸としたミラー反転の関係にあることを特徴とするプロジェクタ。
【請求項２】
無偏光の白色照明光を出射する照明手段と、
前記照明光をＰ偏光とＳ偏光とに分離する偏光ビームスプリッタと、
前記Ｐ偏光を映像情報に基づいて変調し、変調光を出射する第１の反射型ライトバルブと、
前記Ｓ偏光を映像情報に基づいて変調し、変調光を出射する第２の反射型ライトバルブと、
前記第１および第２の反射型ライトバルブからの各変調光を前記偏光ビームスプリッタで合成して投射するプロジェクタにおいて、
前記第１および第２の反射型ライトバルブは、画素が色フィルタを備えた複数のサブピクセルに分割されているカラー表示の反射型ライトバルブであって、前記第１の反射型ライトバルブにおける画素内の前記サブピクセルの配列方向に対して、前記第２の反射型ライトバルブにおける画素内の前記サブピクセルの配列方向が、角度で９０度異なることを特徴とするプロジェクタ。
【請求項３】
請求項１または２に記載のプロジェクタにおいて、
前記第１および第２の反射型ライトバルブは、それらの映像表示領域の大きさが表示可能範囲よりも小さく設定され、
前記第１の反射型ライトバルブによる第１の投射像と前記第２の反射型ライトバルブによる第２の投射像との間の投射位置ズレ量が入力される入力手段と、
前記入力手段に入力された前記投射位置ズレ量に基づいて、前記第１および第２の投射像の投射位置が一致するように、前記第１および／または第２の反射型ライトバルブの前記表示可能範囲内における前記映像表示領域の位置を変更する変更手段とを備えたことを特徴とするプロジェクタ。
【発明の詳細な説明】
【技術分野】
【０００１】
本発明は、画像を投射表示するプロジェクタに関する。
【背景技術】
【０００２】
従来、反射型ライトバルブの一種である反射型液晶素子（ＬＣＯＳ：Liquid Crystal on Silicon）を用いたプロジェクタが提案されている（例えば、特許文献１参照）。特許文献１に記載のプロジェクタでは、簡単な構成で高輝度の投射画像を得るためにＰＢＳ（偏光ビームスプリッタ）で分岐した照明光の各々に対してＬＣＯＳを配置し、それらの反射光をＰＢＳで再合成して投影するような構成となっている。このようなＬＣＯＳを用いたプロジェクタにおいて高輝度のカラー表示を行う場合には、ＲＧＢの各光源を切り替え発光させて時分割でＲＧＢ表示を行う、いわゆるフィールドシーケンシャル駆動によるカラー表示が一般的である。
【０００３】
【特許文献１】特開平７−４３６６２号公報
【発明の開示】
【発明が解決しようとする課題】
【０００４】
しかしながら、フィールドシーケンシャル駆動によるカラー表示の場合には、ＲＧＢの光源をそれぞれ用意する必要があり、装置の小型化の妨げとなっている。
【課題を解決するための手段】
【０００５】
請求項１の発明は、無偏光の白色照明光を出射する照明手段と、照明光をＰ偏光とＳ偏光とに分離する偏光ビームスプリッタと、Ｐ偏光を映像情報に基づいて変調（偏光変換）し、変調光を出射する第１の反射型ライトバルブと、Ｓ偏光を映像情報に基づいて変調し、変調光を出射する第２の反射型ライトバルブと、第１および第２の反射型ライトバルブからの各変調光を偏光ビームスプリッタで合成して投射するプロジェクタに適用され、第１および第２の反射型ライトバルブは、画素が色フィルタを備えた複数のサブピクセルに分割されているカラー表示の反射型ライトバルブであって、第１および第２の反射型ライトバルブの各々に設けられた色フィルタの配列が、互いにＳ偏光の偏光方向を反転軸としたミラー反転の関係にあることを特徴とする。
【発明の効果】
【０００６】
本発明によれば、画素が色フィルタを備えた複数のサブピクセルに分割されているカラー表示の反射型ライトバルブを２枚用いるとともに、第１および第２の反射型ライトバルブの各々に設けられた色フィルタの配列が、互いにＳ偏光の偏光方向を反転軸としたミラー反転の関係となるようにしたことにより、高輝度なカラー表示が容易に行えると共に、装置の小型化を図ることができる。
【発明を実施するための最良の形態】
【０００７】
以下、図を参照して本発明を実施するための最良の形態について説明する。図１は本発明によるプロジェクタの概略構成を示す図である。プロジェクタは、白色光を発生する照明部１、偏光子である偏光ビームスプリッタ（以下では、ＰＢＳを記す）２、反射型液晶ライトバルブの一種であるＬＣＯＳ３，４、投射レンズ５、表示制御部７および入力操作部８を備えている。
【０００８】
照明部１は光源である高輝度ＬＥＤ１１と、ＬＥＤ１１からの光を略平行光とする集光レンズ１２とを備えている。ＬＥＤ１１は白色光を発光可能である。照明部１を出射した無偏光状態の白色光はＰＢＳ２に入射する。ＰＢＳ２の照明光入射面（図示下面）にはダイクロイック透過膜２ｂが形成されている。なお、ダイクロイック透過膜２ｂの詳細については後述する。
【０００９】
ＰＢＳ２に入射した光は、分離面２ａで偏光方向がｙ軸方向であるＳ偏光と、偏光方向がｙ軸と直交するＰ偏光とに分離される。Ｐ偏光は分離面２ａを透過してＬＣＯＳ３に入射し、Ｓ偏光は分離面２ａで反射されてＬＣＯＳ４に入射する。ＬＣＯＳ３，４はシリコン基板とガラス基板との間に液晶を介在させた液晶パネルであり、シリコン基板上にはＴＦＴ等のスイッチング素子や電極が画素の各サブピクセルに対応して設けられており、シリコン基板の最表面には光を反射させるアルミ層が形成されている。そして、透明電極が形成されたガラス基板との間に介在する液晶層を電気的に駆動して映像を表示させることができる。
【００１０】
ＬＣＯＳ３，４には表示制御部７から映像信号が入力され、映像信号のレベルに応じて各電極に電圧が印加される。電極への電圧の印加状態に応じて液晶層の液晶分子の配列が変化し、液晶層が位相板の役目を果たすようになる。例えば、ＬＣＯＳ３，４のガラス基板側から入射したＰ（Ｓ）偏光はシリコン基板側の反射面（アルミ層）で反射されて再びガラス基板から出射するが、その間に白画素部に入射したＰ（Ｓ）偏光は偏光方向が９０度回転されてＳ（Ｐ）偏光に変換される。一方、黒画素部に入射したＰ（Ｓ）偏光は偏光状態が変化せず、Ｐ（Ｓ）偏光のまま出射される。
【００１１】
図１において、照明光の光束Ｗ１はＰＢＳ２の分離面２ａでＰ偏光Ｐ１とＳ偏光Ｓ１とに分離され、Ｐ偏光Ｐ１はＬＣＯＳ３の画素の一つに入射し、Ｓ偏光Ｓ１はＬＣＯＳ４の画素の一つに入射する。このとき、Ｐ偏光Ｐ１が図２（ａ）に示すＬＣＯＳ３の画素３１に入射するとした場合、Ｓ偏光Ｓ１は図２（ｂ）に示すＬＣＯＳ４の画素４１に入射する。同一映像が表示される画素３１および画素４１の各表示画面上における位置は、各表示画面の中心軸Ｊ１，Ｊ２に関して全く左右対称な位置にある。すなわち、ＬＣＯＳ４には、ＬＣＯＳ３に表示される映像３２をｙ軸に関して左右反転した映像４２が表示される。これらの映像は、ｙ軸に関して鏡像関係にある。
【００１２】
図１では、画素３１，４１は白映像が表示されている。そのため、Ｐ偏光Ｐ１はＳ偏光Ｓ２へと変換されてＬＣＯＳ３の白画素３１部から出射され、Ｓ偏光Ｓ１はＰ偏光Ｐ２に変換されてＬＣＯＳ４の白画素４１部から出射される。ＬＣＯＳ３の白画素３１部から出射されたＳ偏光Ｓ２は分離部２ａで反射され、かつ、ＬＣＯＳ４の白画素４１部から出射されたＰ偏光Ｐ２は分離部２ａを透過するので、それらの偏光Ｓ２，Ｐ２は同一画素の投影光として合成され、投射レンズ５により不図示のスクリーン上に投影される。
【００１３】
また、ＬＣＯＳ３の画素３３およびＬＣＯＳ４の画素４３には黒表示の同一映像が表示され、それらの各表示画面上における位置は、各表示画面の中心軸Ｊ１，Ｊ２に関して全く左右対称な位置にある。図１の光束Ｗ２はＰＢＳ２の分離面２ａでＰ偏光Ｐ３およびＳ偏光Ｓ３に分離され、Ｐ偏光Ｐ３は分離面２ａを透過してＬＣＯＳ３の画素３３に入射し、Ｓ偏光Ｓ３は分離面２ａで反射されてＬＣＯＳ４の画素４３に入射する。
【００１４】
黒画素に入射した偏光は回転されないため、ＬＣＯＳ３に入射したＰ偏光Ｐ３は偏光状態は変わらず、Ｐ偏光のままＬＣＯＳ３の黒画素３３部から出射される。また、ＬＣＯＳ４に入射したＳ偏光Ｓ３の場合も同様に偏光状態は変わらず、Ｓ偏光としてＬＣＯＳ４の黒画素４３部から出射される。ＬＣＯＳ３の黒画素３３部から出射されたＰ偏光Ｐ３はＰＢＳ２の分離面２ａを透過し、照明部１へと戻る。同様に、ＬＣＯＳ４の黒画素４３部から出射されたＳ偏光Ｓ３は分離面２ａで反射されて照明部１へと戻る。照明部１へと戻ったこれらの偏光Ｐ３，Ｓ３は照明部１の内部で反射され、一部は再度照明光成分として利用される。
【００１５】
このように、ＬＣＯＳ３，４は入射した偏光光を入力された映像情報に応じて変調（偏光変換）し、変調光として出射する。ところで、本実施の形態では、ＬＣＯＳ３，４にはカラーフィルタが設けられたカラー液晶が用いられる。そのため、ＬＣＯＳ３，４に表示される映像をｙ軸（Ｓ偏光の偏光方向）に関して鏡像関係とするだけでなく、フィルタ配置もｙ軸に関して鏡像関係としている。
【００１６】
図３はフィルタ配置を説明する図である。図３（ａ）に示すカラーフィルタ６ＡはＬＣＯＳ３に設けられたフィルタであり、図３（ｂ）に示すカラーフィルタ６ＢはＬＣＯＳ４に設けられたフィルタである。符号６１ａ，６１ｂはスクリーン投射画面上で同一の画素位置となるＬＣＯＳ３，４の一画素に対応しており、画素６１ａ，６１ｂはＲフィルタ、Ｇフィルタ、Ｂフィルタが設けられた３つのサブピクセルに分割されている。そして、サブピクセル毎に電極が設けられている。
【００１７】
カラーフィルタ６ＢのＲ（赤），Ｇ(緑)，Ｂ(青)の配置は、カラーフィルタ６ＡのＲ，Ｇ，Ｂの配置をｙ軸に関してミラー反転したものになっている。そのため、ｙ軸に関して鏡像関係にある画素６１ａでは左からＲ，Ｂ，Ｇの順に配置されているが、画素６１ｂでは右からＲ，Ｇ，Ｂの順に配置されている。図２に示すようにＬＣＯＳ４に表示される映像はスクリーン上に反転投射されるため、画素６１ａおよび６１ｂのＲの部分の映像はスクリーン上の同一位置に投影される。Ｇ，Ｂに関しても同様である。
【００１８】
ここで、ＬＣＯＳ３，４で黄色（Ｙ）画面を再現する場合を考える。ＬＣＯＳ４のフィルタ配置を、ＬＣＯＳ３と同様に図３（ａ）に示される配置とした場合、ＬＣＯＳ３のサブピクセルＲ（赤）とＬＣＯＳ４のサブピクセルＢ（青）、ＬＣＯＳ３のサブピクセルＧ（緑）とＬＣＯＳ４のサブピクセルＧ（緑）、ＬＣＯＳ３のサブピクセルＢ（青）とＬＣＯＳ４のサブピクセルＲ（赤）が、各々、スクリーン上で同一のサブピクセルとなる。
【００１９】
すなわち、スクリーン上の投射画像を観察すると、赤緑赤赤緑赤赤緑赤…のように太さの異なる複数の色の縦ライン（赤の縦ラインが、緑の縦ラインの２倍の太さ）が観察される。このような表示は、特に画像が拡大表示される投射画像の場合に容易に視認できるようになり、拡大率が大きいほど画質劣化として認識される可能性が高くなる。
【００２０】
一方、ＬＣＯＳ４のフィルタ配置を、ＬＣＯＳ３とは異なり図３（ｂ）に示される配置とした場合、ＬＣＯＳ３のサブピクセルＲ（赤）とＬＣＯＳ４のサブピクセルＲ（赤）、ＬＣＯＳ３のサブピクセルＧ（緑）とＬＣＯＳ４のサブピクセルＧ（緑）、ＬＣＯＳ３のサブピクセルＢ（青）とＬＣＯＳ４のサブピクセルＢ（青）が、各々、スクリーン上で同一のサブピクセルとなる。すなわち、黄色（Ｙ）画面を再現する場合、赤緑黒赤緑黒赤緑黒…のように異なる色の太さの同じ縦線が表示されることになり、上記のような太さの異なる縦線が表示される画質劣化は発生しない。
【００２１】
また、図３（ａ）に示すように画素６１ａのＲ，Ｇ，Ｂがｙ軸と直交するｚ軸方向に繰り返し並んでいる場合には、カラーフィルタ６Ａが設けられたＬＣＯＳ３を画面中心に関して１８０度回転することにより図３（ｂ）に示すようなミラー反転したフィルタ配置を得ることができる。すなわち、ＬＣＯＳ３，４として同一部品を用いることができる。図３（ｃ）は図３（ａ）のカラーフィルタ６Ａが設けられたＬＣＯＳ３を１８０度回転したものであり、画素６１ａは画面右下の位置することになる。この１８０度回転したＬＣＯＳ３を上記のＬＣＯＳ４の代わりに用いる場合には、図３（ａ）の画素６１ａに表示される映像が図３（ｃ）の画素６１ｃに表示されるように左右反転して表示するようにする。
【００２２】
また、図４に示すカラーフィルタ６Ｃのように、Ｒ，Ｇ，Ｂの各フィルタを画素６１ａ内において上下にＢ，Ｇ，Ｒのように配置した場合を考える。この場合、カラーフィルタ６Ｃの横１行には同一色のフィルタだけが並んでいる。そのため、カラーフィルタ６Ｃは左右反転したものも全く同一配置となっており、カラーフィルタ６Ｃが設けられたＬＣＯＳを図１のＬＣＯＳ３およびＬＣＯＳ４として用いることができる。
【００２３】
図５は、カラーフィルタの他の例を示す図である。図５（ａ）はＬＣＯＳ３，４に設けられるカラーフィルタを示したものであり、ＬＣＯＳ３にはカラーフィルタ６Ａが、ＬＣＯＳ４にはカラーフィルタ６Ｃが設けられている。ＬＣＯＳ３，４の映像は鏡像関係にあるため、ＬＣＯＳ４の画素６１ｄにはＬＣＯＳ３の画素６１ａと同一の映像が表示されることになる。そして、それらの映像はスクリーン上の同一位置に合成投影される。
【００２４】
そのため、同一位置に投影された画素内における色配置は、画素６１ａのフィルタと画素６１ｄのフィルタとが重ね合わせられて、図５（ｂ）に示したようなあたかも３×３の９個のサブピクセルに分割されたようになる。図５（ｂ）において、Ｍ（マゼンタ）はＲ（赤）とＢ（青）混色してできたものであり、Ｃ（シアン）はＧ（緑）とＢ（青）を混色してできたものであり、Ｙ（黄色）はＲ（赤）とＧ（緑）を混色してできたものである。
【００２５】
このように、カラーフィルタ６Ａが設けられたＬＣＯＳをＬＣＯＳ３として用い、画素内のＲ，Ｇ，Ｂフィルタの並びを９０度回転させたカラーフィルタ６Ｃが設けられたＬＣＯＳをＬＣＯＳ４として用いることにより、見かけ上のサブピクセルの大きさを小さくすることができる。その結果、拡大投射した場合でも、サブピクセルが目立ち難くなるという利点を有している。なお、図５（ａ）において、ＬＣＯＳ３にカラーフィルタ６Ｃを用い、ＬＣＯＳ４にカラーフィルタ６Ａを用いる構成としてもかまわない。また、カラーフィルタ６ＣのＲ，Ｇ，Ｂフィルタの並びを、カラーフィルタ６Ａの並びを２７０度回転させたものとしてもかまわない。
【００２６】
このように、一対のＬＣＯＳ３，４を用いることにより、照明光が分離面２ａで分離されて生じたＰ偏光およびＳ偏光の両方を投影に利用するようにしたので、高輝度な投影が可能となる。また、上述したような色配置のカラーフィルタ付ＬＣＯＳ３，４を使用し、光源として一つの白色ＬＥＤ１１を用いてカラー表示としたことにより、３板式のカラープロジェクタや時分割式のカラープロジェクタに比べて小型化および低コスト化を図ることができる。
【００２７】
《ダイクロイック透過膜２ｂの説明》
ところで、白色ＬＥＤ１１の発光スペクトルは、概略では図６（ａ）に示すような分布となっており、カラーフィルタの分光特性上、不要な波長成分（不要光）が含まれている。図６の（ｂ）はカラーフィルタの分光特性の一例を示したものであり、（ｃ）はダイクロイック透過膜２ｂの透過特性を示したものである。図６（ｂ）の曲線の谷となっている部分（波長域Ａ１，Ａ２）の波長を有する光は投射光として利用されない光であり、これらが入射するとコントラストを低下させたり、光学素子（ＬＣＯＳ３，４等）の温度上昇を引き起こす可能性がある。
【００２８】
そこで、本実施の形態では、ＰＢＳ２の照明光が入射する面にダイクロイック透過膜２ｂを形成し、不要光が入射しないようにした。図６（ｃ）に示すように、ダイクロイック透過膜２ｂの透過率Ｔは波長域Ａ１，Ａ２において非常に小さくなっており、この波長域Ａ１，Ａ２の光はほとんど反射または吸収される。
【００２９】
《投影位置のズレ補正について》
ところで、ＬＣＯＳ３，４により形成された画像のスクリーン上における投影位置は、ＬＣＯＳ３，４を装置に組み付けた際の位置決め誤差の影響を受ける。設計通りの理想的な位置に組み付けられていれば、ＬＣＯＳ３の投影像とＬＣＯＳ４の投影像とは完全に一致するが、現実的には組立誤差の関係で図７のように位置ずれが生じる。図７において、７１はスクリーン上におけるＬＣＯＳ３の投影範囲を示し、７２はＬＣＯＳ４の投影範囲を示している。投影範囲７２は、投影範囲７１に対してスクリーン上でｘ方向にΔＸ、ｙ方向にΔＹだけ位置ずれしている。
【００３０】
そこで、本実施の形態では、図８に示すようにＬＣＯＳ３，４の表示可能範囲８０（ｍ×ｎ画素）に対して、それよりも小さな表示範囲８１（（ｍ−ａ）×（ｎ−ｂ）画素。ここで、ａ，ｂは１以上の整数）を表示に利用する範囲とした。表示範囲８１は表示可能範囲８０内の任意の位置に設定することができ、表示制御部７（図１参照）は入力された映像情報に基づいて、映像を設定された表示範囲８１に表示する。図８における表示範囲８１は、図７におけるスクリーン上の投影範囲７１，７２に対応するＬＣＯＳ３，４上の表示範囲である。なお、初期設定では、表示範囲８１は表示可能範囲８０の中央に設定されている。
【００３１】
図７のようにスクリーン上で投影範囲７１，７２の位置ずれΔＸ、ΔＹが生じた場合には、次のように位置補正を行う。まず、ＬＣＯＳ３，４に基準映像を表示して、それらをスクリーン上に投影する。図９（ａ）に示す例では、基準映像としてクロスバー７１１，７２１がスクリーン上に表示される様子が示されている。また、図９（ａ）において、投影可能範囲７１０，７２０は、それぞれＬＣＯＳ３，４の表示可能範囲８０に対応するスクリーン上の範囲である。クロスバー７１１はＬＣＯＳ３によって投影されたものであり、クロスバー７２１はＬＣＯＳ４によって表示されたものの投影像である。ＬＣＯＳ３，４の組み付け誤差によってクロスバー７１２はクロスバー７２１に対してｙ方向にΔＹ、ｘ方向にΔＸだけ位置ずれしている。
【００３２】
クロスバー７１１，７１２にはＬＣＯＳ３，４上の画素数を表す目盛りが付してあり、この目盛りを読み取ることによりＬＣＯＳ４のｘｙ方向の位置ズレ量を画素数で直読することができる。すなわち、クロスバー７１１，７１２によって読み取られた位置ズレ量ΔＸ，ΔＹは、画素数に換算した位置ズレ量を表している。装置のオペレータは、入力操作部８を操作して位置ズレ量ΔＸ，ΔＹを入力する。図１の表示制御部７では、入力された位置ズレ量ΔＸ，ΔＹに基づいて、ＬＣＯＳ４の表示範囲８１を初期位置に対してｘ方向に−ΔＸ、ｙ方向に−ΔＹだけ移動させ、その補正量（−ΔＸ，−ΔＹ）を表示制御部７に記憶する。この補正以後は、装置が起動されると、記憶された補正量（−ΔＸ，−ΔＹ）に基づいて図９（ｂ）に示すような表示範囲に映像を表示する。
【００３３】
なお、上述した例では片方のＬＣＯＳ４のみを補正したが、ＬＣＯＳ３に対して（ΔＸ／２，ΔＹ／２）だけ補正し、ＬＣＯＳ４に対しては（−ΔＸ／２，−ΔＹ／２）だけ補正するようにしても良い。また、上述と同様の方法でＬＣＯＳ３のみ表示範囲を補正する構成としても良い。このように、表示範囲８１を表示可能範囲８０よりも小さく設定しておき、表示範囲８１を移動させることで投影像の位置ずれを電気的に容易に補正することが可能となる。
【００３４】
なお、本発明の特徴を損なわない限り、本発明は上記実施の形態に何ら限定されるものではない。例えば、ＬＣＯＳ３，４に設けられるカラーフィルタ６Ａ〜６Ｃは一例を示したものであり、ｙ軸すなわちＳ偏光の偏光方向に関してミラー反転な関係にあるフィルタであれば種々の色配置を採用することができる。
【図面の簡単な説明】
【００３５】
【図１】本発明によるプロジェクタの概略構成を示す図である。
【図２】ＬＣＯＳ３，４の表示を説明する図であり、（ａ）はＬＣＯＳ３を、（ｂ）はＬＣＯＳ４を示す。
【図３】フィルタ配置を説明する図であり、（ａ）はＬＣＯＳ３のカラーフィルタ６Ａを、（ｂ）はＬＣＯＳ４のカラーフィルタ６Ｂを、（ｃ）はＬＣＯＳ３を１８０度回転した場合のカラーフィルタ６Ａをそれぞれ示す。
【図４】ミラー反転タイプのカラーフィルタ６Ｃを示す図である。
【図５】カラーフィルタの変形例を示す図であり、（ａ）カラーフィルタ６Ａおよびカラーフィルタ６Ｃを示し、（ｂ）は画素単位の色配置を示す。
【図６】ダイクロイック透過膜２ｂを説明する図であり、（ａ）は白色ＬＥＤ１１の発光スペクトルを、（ｂ）はカラーフィルタの分光特性を、（ｃ）はダイクロイック透過膜２ｂの透過特性を示す。
【図７】投影像の位置ズレΔＸ、ΔＹを説明する図である。
【図８】ＬＣＯＳ３，４の表示可能範囲８０と実際の表示範囲８１とを示す図である。
【図９】位置ズレ補正を説明する図であり、（ａ）は投影されたクロスバー７１１，７１２を示し、（ｂ）は表示位置が補正された表示範囲８１を示す図である。
【符号の説明】
【００３６】
１：照明部                        ２：偏光ビームスプリッタ
３，４：ＬＣＯＳ                  ５：投射レンズ
６Ａ〜６Ｃ：カラーフィルタ        ７：表示制御部
８：入力操作部                    １１：ＬＥＤ
８０：表示可能範囲                ８１：表示範囲
【図１】
2007025598.tif 000003
【図２】
2007025598.tif 000004
【図３】
2007025598.tif 000005
【図４】
2007025598.tif 000006
【図５】
2007025598.tif 000007
【図６】
2007025598.tif 000008
【図７】
2007025598.tif 000009
【図８】
2007025598.tif 000010
【図９】
2007025598.tif 000011